(57)【要約】【課題】バランス良くホルダを所定の支持脚に支持させることができるシンバルの支持構造を提供すること。【解決手段】シンバル１０の上方及び下方から当該シンバル１０の外周縁の外側を回り込む方向に延びる形状を有する本体部１３と、この本体部１３の上下両端間に連結され、シンバル１０の面内略中央位置を保持する保持部１４と、本体部１３の下端側に設けられて下方に延びる連結部材１５とを備えてホルダ１１が構成されている。連結部材１５は、所定の支持脚３８に連結されるとともに、シンバル１０の重心位置を通る仮想鉛直線Ｌ１から本体部１３の前記回り込み方向側にずれた位置に設けられている。【選択図】          図１
2005031224.tif 000002
【特許請求の範囲】
【請求項１】
シンバルを所定の高さ位置に保持するホルダを備えたシンバルの支持構造であって、
前記ホルダは、シンバルの上方及び下方から当該シンバルの外周縁の外側を回り込む方向に延びる本体部と、この本体部の上端側及び下端側に連結されてシンバルの面内略中央位置を保持する保持部と、本体部の下端側に設けられて当該本体部を所定の支持脚に連結する連結部材とを備え、
前記連結部材は、本体部の前記回り込み方向側にずれた位置に設けられていることを特徴とするシンバルの支持構造。
【請求項２】
シンバルを所定の高さ位置に保持するホルダを備えたシンバルの支持構造であって、
前記ホルダは、シンバルの上方及び下方から当該シンバルの外周縁の外側を回り込む方向に延びる本体部と、この本体部の上端側及び下端側に連結されてシンバルの面内略中央位置を保持する保持部と、本体部の下端側に設けられて当該本体部を所定の支持脚に連結する連結部材とを備え、
前記連結部材は、シンバルの重心を通る仮想鉛直線より本体部の前記回り込み方向側にずれた位置に設けられていることを特徴とするシンバルの支持構造。
【請求項３】
シンバルを所定の高さ位置に保持するホルダを備えたシンバルの支持構造であって、
前記ホルダは、シンバルの上方及び下方から当該シンバルの外周縁の外側を回り込む方向に延びる本体部と、この本体部の上端側及び下端側に連結されてシンバルの面内略中央位置を保持する保持部と、本体部の下端側に設けられて当該本体部を所定の支持脚に連結する連結部材とを備え、
前記連結部材は、シンバル及びホルダ全体の重心を通る仮想鉛直線上に設けられていることを特徴とするシンバルの支持構造。
【請求項４】
前記シンバルは、保持部に取り付けられたストッパを介して所定の高さ位置に保持され、このストッパは、シンバルの面内略中央位置に形成された中心穴の内周面に嵌り合う形状を備えていることを特徴とする請求項１，２又は３記載のシンバルの支持構造。
【発明の詳細な説明】
【０００１】
【発明の属する技術分野】
本発明は、シンバルの支持構造に係り、更に詳しくは、シンバルを保持するホルダを、所定の支持脚に安定して支持させることができるシンバルの支持構造に関する。
【０００２】
【従来の技術】
公知のドラムセット等に用いられるシンバルを支持する構造としては、例えば、特許文献１に開示されたタイプのものが存在する。同文献のシンバルはホルダを介して支持されており、このホルダは、シンバルの外周縁の外側を回り込む正面視略半円弧状に形成された本体部と、この本体部の上下両端側を連結するワイヤ等により構成され、上下方向中間部にシンバルを保持する保持部と、本体部の下端側に設けられて下方に延びる軸状の連結部材とを備えている。前記連結部材は、シンバルの面内略中央すなわちシンバルの重心の直下位置に設けられるとともに、スタンド等の支持脚に連結されてホルダをいわば片持ち状態とするようになっている。
【０００３】
【特許文献１】
特開２０００−１０５５４号公報
【０００４】
【発明が解決しようとする課題】
しかしながら、このような支持構造にあっては、無負荷状態において、ホルダの自重により本体部の前記回り込み方向側（特許文献１の図１中右側）に倒伏する方向のモーメント力が生じてしまい、ホルダが不安定な状態でセットされるという不都合を招来する。これは、連結部材がシンバルの重心の直下位置に設けられているため、ホルダを除いたシンバルの重量だけを考えれば前記倒伏する方向のモーメント力が生じないものの、ホルダとシンバルとを合わせた重量のバランスを考慮すると、連結部材を境界として本体部の殆どの領域が前記回り込み方向側に位置するため、本体部の重量が前記倒伏する方向のモーメント力として作用することに起因する。
【０００５】
【発明の目的】
本発明は、このような不都合に着目して案出されたものであり、その目的は、支持脚に支持されたホルダが不安定な状態となることを防止して、バランス良くホルダの位置を維持することができるシンバルの支持構造を提供することにある。
【０００６】
【課題を解決するための手段】
前記目的を達成するため、本発明は、シンバルを所定の高さ位置に保持するホルダを備えたシンバルの支持構造であって、
前記ホルダは、シンバルの上方及び下方から当該シンバルの外周縁の外側を回り込む方向に延びる本体部と、この本体部の上端側及び下端側に連結されてシンバルの面内略中央位置を保持する保持部と、本体部の下端側に設けられて当該本体部を所定の支持脚に連結する連結部材とを備え、
前記連結部材は、本体部の前記回り込み方向側にずれた位置に設けられる、という構成を採っている。このような構成によれば、シンバルとホルダを合わせた状態での重心の直下位置に連結部材が近付くこととなり、ホルダが倒伏する方向の力が生じることを抑制して、ホルダがセットされた位置を安定して維持することが可能となる。
ここで、本発明の前記連結部材は、シンバルの重心を通る仮想鉛直線より本体部の前記回り込み方向側にずれた位置に設けられる、という構成も採用され、これによっても、前述の効果をより良く達成することができる。
【０００７】
更に、本発明は、シンバルを所定の高さ位置に保持するホルダを備えたシンバルの支持構造であって、
前記ホルダは、シンバルの上方及び下方から当該シンバルの外周縁の外側を回り込む方向に延びる本体部と、この本体部の上端側及び下端側に連結されてシンバルの面内略中央位置を保持する保持部と、本体部の下端側に設けられて当該本体部を所定の支持脚に連結する連結部材とを備え、
前記連結部材は、シンバル及びホルダ全体の重心を通る仮想鉛直線上に設けられる、という構成を採っている。これにより、連結部材を境界としてホルダ及びシンバル全体の重量の釣り合いがとれるようになり、無負荷状態でホルダが倒伏する方向へのモーメント力が生じることを回避して、シンバル及びホルダをより安定的にセットすることが可能となる。
【０００８】
【発明の実施の形態】
本発明において、前記シンバルは、保持部に取り付けられたストッパを介して所定の高さ位置に保持され、このストッパは、シンバルの面内略中央位置に形成された中心穴の内周面に嵌り合う形状を備える、という構成を採ることが好ましい。このような構成によれば、シンバルをばち等で叩いたときに、シンバルの位置がずれて当該シンバルと保持部とが衝突することを防止でき、シンバルの意図しない振動を抑制することが可能となる。
【０００９】
なお、本明細書における方向若しくは位置的用語は、特に明示しない限り、図１を基準として用いるものとする。
【００１０】
【実施例】
以下、本発明の実施例を図面を参照しながら説明する。
【００１１】
図１には、実施例に係るシンバルの支持構造の概略正面図が示されている。この図において、シンバル１０は、図示しないドラムセットに用いられるものであり、ばち等により叩いた衝撃により音を発生するものである。また、シンバル１０は、円盤状に形成されて略水平方向に向けられるとともに、ホルダ１１を介して所定の高さ位置に保持されている。
【００１２】
前記ホルダ１１は、正面視略弓状に形成された本体部１３と、この本体部１３の上下両端間に連結された保持部１４と、本体部１３の下端側に設けられて下方に延びる連結部材１５とを備えて構成されている。
【００１３】
前記本体部１３は、本実施例では、スチール等の金属により構成される一本の軸部材を曲げ加工することにより構成されている。本体部１３は、正面視したときに略半円弧状をなす湾曲部１７と、この湾曲部１７の上端及び下端に連なって略水平方向に向けられた上水平部１８及び下水平部１９とからなり、シンバル１０の上方及び下方から当該シンバル１０の外周縁の外側を回り込む方向に延びる形状を備えている。上水平部１８及び下水平部１９は、図２にも示されるように、それらの左端近傍位置に上下方向に貫通する穴２１，２１をそれぞれ備え、これらの穴２１，２１に保持部１４の上下両端側を保持するフック２２，２２が貫通して取り付けられている。上水平部１８は、図１の二点鎖線で示されるように、本体部１３に保持部１４を取り付ける前の状態で、左端側が若干上向きとされ、保持部１４を取り付けることによって弾性変形して略水平方向に向けられるようになっている。また、下水平部１９の下面側における前記穴２１の右寄りの位置には、連結部材１５を取り付けるための凹部２３が形成されている。
【００１４】
前記保持部１４は、上下方向に延びてシンバル１０の面内略中央位置を貫通する線状体２５と、この線状体２５の下端側に設けられて上下方向に向けられたコイルばね２６と、このコイルばね２６の下端側と下側のフック２２とを連結するリング部材２７とを備えて構成されている。線状体２５は、ワイヤ等により構成され、その上下両端側がループ状に形成されて上側のフック２２とコイルばね２６の上端側に引っ掛け保持されている。また、コイルばね２６は、上下長さが縮小する方向の力を発揮するように設けられ、これにより、前記上水平部１８が略水平方向に向けられるとともに、線状体２５に一定の張力が付与され、シンバル１０の横ぶれを少なくして安定的に保持するようになっている。ここで、線状体２５の上下方向中間部には、シンバル１０の高さ位置を決定する駒状のストッパ２９が取り付けられている。
【００１５】
前記ストッパ２９は、特に限定されるものでないが、本実施例では、ポリアセタール（ＰＯＭ）製とされている。このストッパ２９は、図３に示されるように、シンバル１０の面内略中央位置に形成された中心穴１０Ａを貫通するとともに、上下方向に延びる円筒状の小径部３０と、この小径部３０の下端に中径部３１を介して連なる末広がり状の円錐台部３２と、この円錐台部３２の下端に連なる円盤状の大径部３３とを備え、これらの軸線上に前記線状体２５を貫通する貫通穴３５が形成されている。小径部３０は、前記中心穴１０Ａより若干小さい径寸法を備えている。中径部３１は、下方に向かうに従って次第に拡径し、その外周が外側に膨らむ球面状に構成されるとともに、最大径が中心穴１０Ａと同じか若干大きい径寸法とされ、これにより、中心穴１０Ａの内周面が中径部３１の下部との間で嵌り合い、シンバル１０を叩いたときの揺れによる中心穴１０Ａ付近での雑音が解消されるようになっている。また、大径部３３は、その外周から貫通穴３５に延びるねじ穴３３Ａを備えている。このねじ穴３３Ａには、止めねじ３６がねじ込まれており、当該止めねじ３６の先端と貫通穴３５の内周面とにより線状体２５を挟み込むことにより、ストッパ２９が所定の高さ位置に固定される。
【００１６】
前記連結部材１５は、上下方向に延びる略六角柱状に形成された軸部材により構成され、公知の自立構造をなす支持脚３８に嵌め込むことにより、当該支持脚３８と本体部１３とを連結可能に設けられている。連結部材１５の上端側には、前記凹部２３に挿入される突起１５Ａが連設され、この突起１５Ａと凹部２３とを溶接等により接続することで連結部材１５が本体部１３にしっかりと固定されるようになっている。
【００１７】
ここで、連結部材１５の取り付け位置を図１を用いて更に検討すると、連結部材１５は、シンバル１０の重心、つまり、シンバル１０の面内中央位置を通る仮想鉛直線Ｌ１から前記湾曲部１７側（図１中右側）にずれた位置に設けられ、前記鉛直仮想線Ｌ１と連結部材１５の軸線Ｌ２との間に離間幅Ｗを隔てて設けられている。この離間幅Ｗは、前記軸線Ｌ２と、シンバル１０及びホルダ１１全体の重心を通る仮想鉛直線Ｌ３とが一致、若しくは、当該仮想鉛直線Ｌ３に前記軸線Ｌ２が近付くように設定されている。従って、ホルダ１１を支持脚３８にセットしたときに、支持脚３８と連結部材１５との結合部分を境界として、シンバル１０及びホルダ１１を合わせた重量の左右のバランスが保たれるようになり、無負荷状態で、ホルダ１１の倒伏方向（図１中左右方向）へのモーメント力が殆ど生じないようになっている。
【００１８】
従って、このような実施例によれば、シンバル１０及びホルダ１１がセットされた位置を安定して維持できるようになり、シンバル１０を演奏するときに、演奏者が不安感を感じたり、ばちの打撃強さ等の制約を受けたりすることなく無理なく演奏することが可能となる。また、コイルばね２６の弾力と上水平部１８の弾性力とにより線状体２５を上下両側から引っ張る構成としたので、線状体２５に張力を効果的に付与することができ、演奏時にシンバル１０が左右に揺動することを抑制することが可能となる。
【００１９】
本発明を実施するための最良の構成、方法などは、以上の記載で開示されているが、本発明は、これに限定されるものではない。
すなわち、本発明は、特定の実施例に関して特に図示し、且つ、説明されているが、本発明の技術的思想及び目的の範囲から逸脱することなく、以上に述べた実施例に対し、形状、材質、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２０】
前記本体部１３は、種々の設計変更が可能であり、例えば、本体部１３を正面視した形状を略コ字状や略く字状等にしてもよい。要するに、本発明の本体部１３は、シンバル１０の上方及び下方から当該シンバル１０の外周縁の外側を回り込む方向に延びる形状とされていれば足りる。
【００２１】
また、連結部材１５及び支持脚３８は、これらを相互に連結可能とする限りにおいて、種々の連結構造を採用することができる。
【００２２】
【発明の効果】
以上説明したように、本発明によれば、本体部の下端側であって、シンバル及びホルダ全体の重心を通る仮想鉛直線に一致若しくは近付けた位置に連結部材を設けたから、当該連結部材を所定の支持脚に連結したときに、ホルダが倒伏する方向へのモーメント力が生じることを抑制し、連結部材を境界としてホルダ及びシンバル全体の重量のバランスが良好に保たれるようになり、ホルダの位置を安定して維持することができる、という効果を得る。
【００２３】
また、保持部に取り付けられてシンバルを所定の高さ位置に保持するストッパがシンバルの中心穴の内周面に嵌り合う形状を備えているから、シンバルを叩いたときに、シンバルの位置ずれによって当該シンバルと保持部とが当たることを回避でき、シンバルの不要な振動の発生を抑制することが可能となる。
【図面の簡単な説明】
【図１】実施例に係るシンバル及びホルダの概略正面図。
【図２】前記ホルダを構成する本体部の底面部。
【図３】ストッパの拡大正面図。
【符号の説明】
１０・・・シンバル、１０Ａ・・・中心穴、１３・・・本体部、１４・・・保持部、１５・・・連結部材、２９・・・ストッパ、３８・・・支持脚、Ｌ１・・・仮想鉛直線、Ｌ３・・・仮想鉛直線
【図１】
2005031224.tif 000003
【図２】
2005031224.tif 000004
【図３】
2005031224.tif 000005